(57)【要約】【課題】希望する診療を受けるために必要な医療機器を考慮した診療予約を簡単に行うことができる診療予約システムを提供する。【解決手段】本発明は、表示画面を持った遠隔端末からネットワークを介して医療機関の診療の予約を行う診療予約システムであって、医療機器の機種情報と所在情報を紐付けして記憶し管理する医療機器管理部（医療機器管理サーバ５１）と、前記医療機器の使用予定状況を管理する予定管理部（院内サーバ）と、前記診療の予約日程を管理する予約管理部１３と、前記予定管理部の医療機器の使用予定状況と前記予約管理部の診療の予約日程に基づいて特定の前記医療機器で診療予約可能な医療機関と時間とを抽出するとともに、前記遠隔端末の表示画面へ診療の予約画面を表示させる情報判断部１１とを備えた構成とした。この構成により、希望する診療を受けるために必要な医療機器を考慮した診療予約を簡単に行うことができる。【選択図】図１
2013206238.tif 000002
【特許請求の範囲】
【請求項１】
表示画面を持った遠隔端末からネットワークを介して医療機関の診療の予約を行う診療予約システムであって、
医療機器の機種情報と所在情報を紐付けして記憶し管理する医療機器管理部と、
前記医療機器の使用予定状況を管理する予定管理部と、
前記診療の予約日程を管理する予約管理部と、
前記予定管理部の医療機器の使用予定状況と前記予約管理部の診療の予約日程に基づいて特定の前記医療機器で診療予約可能な医療機関と時間とを抽出するとともに、前記遠隔端末の表示画面へ診療の予約画面を表示させる情報判断部とを備えることを特徴とする診療予約システム。
【請求項２】
前記医療機器管理部は、前記医療機器とこの医療機器の所在情報とを格納する納入情報格納部と、
前記納入情報格納部に格納された前記医療機器の所在情報を検索するデータ検索部と、を有することを特徴とする請求項１記載の診療予約システム。
【請求項３】
前記診療予約システムにおいて、前記ネットワークを介して前記医療機関を利用する利用者が患者情報を入力する患者情報管理端末を備えたことを特徴とする請求項１または請求項２の何れかに記載の診療予約システム。
【請求項４】
前記遠隔端末が携帯端末であることを特徴とする請求項１から請求項３のいずれかに記載の診療予約システム。
【発明の詳細な説明】
【技術分野】
【０００１】
本発明は、ネットワークを介した遠隔端末からの診療予約システムに関する。
【背景技術】
【０００２】
近年、病院の診療や検査の予約を行う際、遠隔端末からネットワークを介して予約を行うシステムが数多く提案されている。なかには医師、検査技師、看護士等の情報が共有され、病院側の空き状況を確認した上でリアルタイム予約を行うことができるものもある。
【０００３】
また、待ち時間を減らし、迅速に診療を行えることを目的とし、また、予約の時間枠、患者管理情報データを記憶することができ、診療予約の際に診療の空き時間を減らしムダのない予約を行うことが可能となっている。さらに所定の時間によって分割された複数の予約枠によって構成される予約枠テーブルを生成する機能と、予約枠に診療の遅れ時間を調整するための時間調整枠を設ける機能とを有する予約管理手段により、診療の遅れ時間を調整し、患者が希望した予約時刻から遅れることなく診療を受けることができる時刻指定診療予約システムがある（特許文献１参照）。
【０００４】
さらに、ＣＴ（Ｃｏｍｐｕｔｅｄ  ＴｏｍｏＧｒａｐｈｙ）、ＭＲＩ（Ｍａｇｎａｔｉｃ  Ｒｅｓｏｎａｎｃｅ  Ｉｍａｇｅ）、超音波診断といった検査においては、医師が検査予約システムにてモダリティの検査計画を立てている。その検査に先立って検査技師や病院の医療機器の使用状況を考慮して、モダリティ管理と検査計画が自動で立てられるものもある（特許文献２参照）。
【０００５】
また、近年、地域の病院で患者の情報を共有する「地域医療連携ネットワーク」および、どこに行っても自分で自分の医療・健康情報を持ち込むことでどの病院でも“自分の病院”となる「どこでもＭｙ病院」構想、あるいは、自分で自分の健康記録データをサーバ等で管理して病院へ持参する「ＰＨＲ（Ｐｅｒｓｏｎａｌ  Ｈｅａｌｔｈ  Ｒｅｃｏｒｄ）」の考え方の普及、浸透により、医療データは病院間で共有されるのでどの病院に行っても良く、病院選択への制限がなくなってくる。
【０００６】
一方、医療機器の高機能・高精度化に伴い、診療を希望する際は、医師の手技だけではなくこれらの医療機器があるか否かを含め、使用する医療機器の選択が重要になってきた。
【０００７】
そこで、特定の検診を予約する際には、検診場所を選択するだけではなく特定の医療機器がどこの病院に備えられているかを知ることが必要とされている。
【先行技術文献】
【特許文献】
【０００８】
【特許文献１】特開２０１０−２６７１２０号公報
【特許文献２】特開２００６−７５５１２号公報
【発明の概要】
【発明が解決しようとする課題】
【０００９】
しかしながら、特定の健康診断や検査を希望して診療予約をする場合、特定の医療機器の保有情報と医療機関の空き状況、医療機関の所在情報などを考慮して医療機関を選択し、診療予約をすることが困難なものであった。
【００１０】
そのため、希望する診療を受けるために必要な医療機器を備えた医療機関の選択と診療予約とを考慮した予約を簡単に行えず、診療予約の利便性が悪いという課題を有していた。
【００１１】
本発明は、従来の課題を解決するもので、希望する診療を受けるために必要な医療機器を備えた医療機関の選択と診療予約とを考慮した予約を簡単に行うことができ、診療予約の利便性の向上ができる診療予約システムを提供することを目的とする。
【課題を解決するための手段】
【００１２】
表示画面を持った遠隔端末からネットワークを介して医療機関の診療の予約を行う診療予約システムであって、医療機器の機種情報と所在情報を紐付けして記憶し管理する医療機器管理部と、前記医療機器の使用予定状況を管理する予定管理部と、前記診療の予約日程を管理する予約管理部と、前記予定管理部の医療機器の使用予定状況と前記予約管理部の診療の予約日程に基づいて特定の前記医療機器で診療予約可能な医療機関と時間とを抽出するとともに、前記遠隔端末の表示画面へ診療の予約画面を表示させる情報判断部とを備えた構成とした。
【００１３】
この構成により、遠隔端末からネットワークを利用して希望する検診を受けるために必要な医療機器を備えた病院の選択、時間選択、検診予約が一度にでき、患者の病院選択の幅を広げることができる。また、本発明では、前回受けた検診を引越し等で病院を変更したい場合に同じ医療機器を利用した検診予約を別の病院でも行うことができる。
【００１４】
また、前記医療機器管理部は、前記医療機器とこの医療機器の所在情報とを格納する納入情報格納部と、前記納入情報格納部に格納された前記医療機器の所在情報を検索するデータ検索部と、を有している。
【００１５】
この構成により、通勤や通学など通院するために都合の良い場所の病院を優先して検診予約することができる。
【００１６】
さらに、前記診療予約システムにおいて、前記ネットワークを介して前記医療機関を利用する利用者が患者情報を入力する患者情報管理端末を備えている。
【００１７】
これにより、患者の診療予約や医療機器の使用予約に関する情報を集約することができる。
【００１８】
さらにまた、遠隔端末は携帯端末であることでネットワークのアクセスポイントに接続可能な場所ならばどこからでも診療予約を利用することができる。
【発明の効果】
【００１９】
本発明によれば、表示画面を持った遠隔端末からネットワークを介して医療機関の診療の予約を行う診療予約システムであって、医療機器の機種情報と所在情報を紐付けして記憶し管理する医療機器管理部と、前記医療機器の使用予定状況を管理する予定管理部と、前記診療の予約日程を管理する予約管理部と、前記予定管理部の医療機器の使用予定状況と前記予約管理部の診療の予約日程に基づいて特定の前記医療機器で診療予約可能な医療機関と時間とを抽出するとともに、前記遠隔端末の表示画面へ診療の予約画面を表示させる情報判断部とを備えたので、希望する診療を受けるために必要な医療機器を備えた医療機器の予約を考慮した診療予約を簡単に行うことができる。
【００２０】
すなわち、本発明においては、従来の方法ではできなかった希望する特定の医療機器を備えている病院の検索と希望する病院の診療予約を一度にすることができるので、その結果として、診療予約の利便性を向上させることができる。
【図面の簡単な説明】
【００２１】
【図１】本発明の実施形態における診療予約システムの構成の一例を示すブロック図
【図２】本発明の実施形態における診療予約システムの動作の一例を示すフローチャート
【図３】本発明の実施形態における診療予約システムの初期画面の例を示す図
【図４】本発明の実施形態における診療予約システムの検査予約画面の例を示す図
【図５】本発明の実施形態における診療予約システムの検査項目・検査装置選択画面の例を示す図
【図６】本発明の実施形態における診療予約システムの日程または病院選択画面の例を示す図
【図７】本発明の実施形態における診療予約システムの日程選択画面の例を示す図
【図８】本発明の実施形態における診療予約システムの病院選択画面の例を示す図
【図９】本発明の実施形態における診療予約システムの予約内容確認画面の例を示す図
【図１０】本発明の実施形態における診療予約システムの患者情報入力画面の例を示す図
【発明を実施するための形態】
【００２２】
以下、本発明の診療予約システムの実施の形態を図面とともに詳細に説明する。
【００２３】
（実施の形態）
図１は、本発明の実施の形態における診療予約システム１の構成を示すブロック図である。
【００２４】
図１において、診療予約システム１は、医療機器管理部である医療機器管理サーバ５１と予約管理部１３と情報判断部１１、遠隔端末である患者端末５０、予定管理部である院内サーバ３０、院内サーバ４０で構成され、それぞれネットワーク６０を介して接続されている。ここでは、ネットワーク６０の通信プロトコルをＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）とした通信網を想定して説明をするが、電子データを相互に交換できる別の通信プロトコルを利用してもよい。
【００２５】
まず、図１において、医療機器管理サーバ５１は、医療機器Ａの納入情報格納部２０ａと医療機器Ｂの納入情報格納部２０ｂ、データ検索部１２で構成される。ここで、納入情報格納部２０ａ、納入情報格納部２０ｂは、例えばデータ検索部１２に接続された記憶装置に格納されたデータベースを想定してもよい。
【００２６】
納入情報格納部２０ａは、医療機器Ａの所在情報を含んだデータベースであって、医療機器Ａの機種情報と医療機器Ａを納入した医療機関の所在情報が紐付けされたデータとして格納されている。これによって、患者が希望する特定の診療または検診を受けられる医療機器が、医療機器の所在情報からどの医療機関に設置されているかを検索できるものである。
【００２７】
同様に納入情報格納部２０ｂは、医療機器Ｂの機種情報や納入先の病院の所在情報等をデータベースとして格納されている。ここでは、納入情報格納部２０ａ、納入情報格納部２０ｂに対応する２機種の医療機器としたが１機種、または３機種以上でも同様に考えることができる。
【００２８】
また、医療機器管理サーバ５１は、ネットワーク６０を介して接続され、通信プロトコルに応じて、後述するデータ検索部１２が納入情報格納部２０ａまたは納入情報格納部２０ｂに格納された情報のデータ更新やデータ抽出等を行うことができる。
【００２９】
データ検索部１２は、納入情報格納部２０ａと納入情報格納部２０ｂに格納された特定の医療機器の所在情報を検索および管理するものである。データ検索部１２は、データ検索部１２に接続された納入情報格納部２０ａと納入情報格納部２０ｂに格納されたデータにアクセスする。このデータは、上述のとおり医療機器の機種情報とこの医療機器を納入した病院の所在情報などが紐付けされており、特定の医療機器、例えば医療機器Ａを検索することで医療機器Ａが納入された病院（医療機関）の所在情報がわかるものである。
【００３０】
予約管理部１３は、特定の医療機器Ａとこの医療機器Ａの所在情報に対応する医療機関において、患者情報管理端末で入力された診療予約の情報（日時など）をネットワーク６０を介して院内サーバを通して受信する。予約管理部１３は、複数の医療機関から受信した診療予約の情報（日時）を管理し、診療予約の情報を各医療機関から送られてくる度に更新する。
【００３１】
次に、情報判断部１１は、ネットワーク６０を介してデータ検索部１２に接続し、データ検索部１２が医療機器管理サーバ５１に格納された紐付けされたデータから検索した特定の医療機器Ａを所有する医療機関の所在情報を抽出するものである。また、情報判断部１１は、データ検索部１２からの特定の医療機器Ａを所有する医療機関（病院）の院内サーバを通して医療機器Ａの使用予定状況を取得し、予約管理部１３からは診療予約の情報を取得する。さらに、医療機器Ａの使用予定状況と診療予約の情報から特定の医療機器Ａで診療予約が可能な医療機関と日時とをデータ抽出する。このとき、抽出されるデータは診療予約可能な医療機関、日時としたが、これ以外の医療機関の予約に必要な情報であってもよい。さらに、情報判断部１１は、患者端末５０の表示画面に表示するためのデータの作成と、ネットワーク６０を介して患者端末５０へ表示画面を表示するための情報を含むデータの送受信が可能である。
【００３２】
院内サーバ３０または院内サーバ４０は、病院Ａ、病院Ｂがそれぞれ所有する医療機器の予約情報（使用予定状況）を管理し、ネットワーク６０を介して情報判断部１１に送信できるものである。
【００３３】
また、院内サーバ３０と院内サーバ４０はそれぞれ患者情報管理端末３２、患者情報管理端末４２に端末使用者より入力された診療予約の情報を情報判断部１１に送信できるものである。なお、院内サーバ３０、院内サーバ４０はネットワーク６０に接続される情報判断部１１以外にもこれらの情報を送信可能である。
【００３４】
次に、院内サーバ３０は、不図示の院内ＬＡＮ（Ｌｏｃａｌ  Ａｒｅａ  Ｎｅｔｗｏｒｋ）などを介して医療機器Ａ３１ａ、医療機器Ｂ３１ｂ等が接続されている。これによって、院内サーバ３０は、医療機器Ａ３１ａ、医療機器Ｂ３１ｂの現在の使用予定状況を確認することができる。また、院内サーバ３０に上述の院内ＬＡＮ（図示しない）を介して接続可能な患者情報管理端末３２から、端末利用者が患者の診療予約や医療機器Ａ３１ａ、医療機器Ｂ３１ｂなどの医療機器の使用の予約を入力できるようになっている。
【００３５】
院内サーバ４０も院内サーバ３０と同様に、端末利用者が患者情報管理端末４２から患者の診療予約や医療機器Ａ４１ａ、医療機器Ｂ４１ｂ、医療機器Ｃ４１ｃなどの医療機器の使用の予約を入力する。
【００３６】
このように、院内サーバ３０、院内サーバ４０は患者の診療予約や医療機器の使用予約に関する情報を集約することができる。ここで、院内サーバ３０、院内サーバ４０を分けて説明したのは、複数の医療機関を想定したためである。
【００３７】
患者端末５０は、患者が操作するパーソナルコンピュータなどの端末機器であって、情報判断部１１から送信された表示画面のためのデータに基づいて診療予約画面を表示する機能と特定の医療機器情報や診療を希望する医療機関を検索して診療予約するものである。また、患者端末５０は医療機関とは離れた遠隔地からネットワーク６０に接続し診療予約システム１を利用可能である。ここでは、患者端末５０をパーソナルコンピュータとしたが、持ち運び可能なタブレット型端末、無線でネットワーク６０のアクセスポイント（図示しない）に接続できる携帯端末であっても構わない。これによって、患者は携帯端末がネットワーク６０のアクセスポイントに接続可能な場所ならばどこからでも診療予約システム１を利用することができる。
【００３８】
なお、診療予約システム１は、ネットワーク６０からデータが外部に漏洩する等を防止するため、患者端末５０との接続をＩＰｓｅｃ（Ｉｎｔｅｒｎｅｔ  Ｐｒｏｔｏｃｏｌ  Ｓｅｃｕｒｉｔｙ）等の暗号化技術を利用したＶＰＮ（Ｖｉｒｔｕａｌ  Ｐｒｉｖａｔｅ  Ｎｅｔｗｏｒｋ）を利用しても良い。また、医療機器管理サーバ５１と情報判断部１１、予約管理部１３を分けたサーバ構成としているが、同一サーバで構成してもよい。さらにまた、ここでは院内サーバを２システムとしているが２システムに限定されるものではない。
【００３９】
図２は診療予約システム１の使用を開始してから終了するまでの一連の動作を示すフローチャートである。図２に基づいて、図１、図３から図１０を用いて診療予約システム１の動作を説明する。
【００４０】
図２において、Ｓ１０１は診療予約システム１の使用開始で、患者が患者端末５０を起動させ患者端末５０の表示画面に図３のような診療予約システム１に接続するための初期画面を表示させるステップである。さらに、この初期画面が表示されると、患者は診療予約システム１に接続するため患者個人を識別する患者ＩＤとパスワードを入力する。なお、ここでは、一例として患者端末５０の表示画面をタッチパネル方式とし、患者がタッチパネルに接触することで患者からの入力を認識するものとして説明する。また、患者からの入力は、患者の入力値に対応した患者端末５０の入力ボタンやタッチセンサで行う構成にしてもよい。
【００４１】
Ｓ１０１の後に患者端末５０の表示画面に表示された、例えば図４の予約画面で診療予約領域（検査予約）に接触することで診療予約を選択するステップである（Ｓ１０２）。すると、患者端末５０の表示画面は、次のステップであるＳ１０３で表示される図５に示すような検査項目（診療項目）と検査装置（医療機器）の選択画面へ遷移する。
【００４２】
Ｓ１０３では、図５のような検査項目（診療項目）と検査装置（医療機器）の選択画面が患者端末５０に表示されており、患者は希望する診療や検査項目（医療機器）を選択し患者端末５０の画面を遷移させ、次のステップのＳ１０４へ進む。このとき、情報判断部１１は患者端末５０から入力または選択された希望する診療項目や医療機器の情報をネットワーク６０を介して受け、この医療機器に関する情報をデータ検索部１２に送信する。データ検索部１２は、医療機器管理サーバ５１の納入情報格納部２０ａもしくは納入情報格納部２０ｂから、医療機器とこの医療機器の所在情報とが紐付けされたデータを抽出する。
【００４３】
Ｓ１０４において、患者端末５０の表示画面が図６のような診療予約の日付または医療機関（病院）を選択できるものとなっている。このＳ１０４は、Ｓ１０３で診療項目と医療機関を選択しているので、優先して選びたい診療予約の日付もしくは病院のどちらかを選択するステップである。Ｓ１０３で抽出した医療機器と所在情報とが紐付けされたデータから情報判断部１１が患者の希望する医療機器のある病院を選び出すことが可能である。ここでは、患者の希望する医療機器を医療機器Ａとする。また、Ｓ１０４において、診療予約の日付を選択した場合は、Ｓ１０５へ進むステップである。さらに、Ｓ１０４において、医療機関（病院）を選択した場合はＳ１０９へ進むステップである。なお、患者端末５０の表示画面の診療予約の日付または医療機器の選択部分は、例えばプルダウンメニューになっていてもよい。
【００４４】
Ｓ１０５は、Ｓ１０４において診療予約の日付から選ぶことを選択したので図７のような日程が一覧となった日付選択画面が表示されており、この日付選択画面では診療の項目と医療機器が空いている日付と時間帯が表示されている。また、日付選択画面において、診療の項目と医療機器が空いていない日付は目立たないように、例えばグレーアウトにして患者が日付と時間帯を選択できないようにしてもよい。ここで、情報判断部１１は、予約管理部１３がＳ１０３で患者が選択した医療機器Ａの所在情報ら病院Ａの患者情報管理端末３２、及び病院Ｂの患者情報管理端末４２から入力された患者の診療予約の日程と、院内サーバ３０と院内サーバ４０が管理する病院Ａ、病院Ｂそれぞれの医療機器Ａの使用予定状況に基づいて診療予約可能な病院（医療機関）と予約時間を抽出する。また、情報判断部１１は、患者端末５０の表示画面に表示させるデータをネットワーク６０を介して患者端末５０へ送信する。
【００４５】
Ｓ１０５の次のステップでは、患者が希望する検査の日付と時間帯を選択後、情報判断部１１によって患者端末５０の表示画面が図８に遷移するものである（Ｓ１０６）。
【００４６】
Ｓ１０７では、患者端末５０の表示画面が図８の病院選択画面になっており、Ｓ１０６で選択した日付と時間帯で予約可能な病院一覧が表示されている。これは情報判断部１１がＳ１０６で選択された日時から診療予約と医療機器Ａの両方の空き時間が重なっている日時から医療機関を抽出し、ネットワーク６０を介して患者端末５０に表示するためのデータを送信したためである。
【００４７】
次に、Ｓ１０８では、図８で表示されている病院一覧から患者が希望の病院を選択することで、Ｓ１１３へ進むステップである。なお、病院一覧は患者端末５０に自宅住所を登録しておくことで、自宅からの距離が近い順の表示、人気順の表示、病院名の五十音順のいずれでも構わないものである。また、ここでは、診療予約の日付と病院の選択を別画面で選択する例を示したが、同一画面で選択できるような構成にしても構わない。
【００４８】
Ｓ１１３において、Ｓ１０８のステップで診療と医療機関が空いている日付と時間帯を選択したので、患者端末５０の表示画面は図９のような表示がされ、患者は自身が予約した内容を確認することができる。図９の患者端末５０の表示画面は、患者が予約した日時、検査項目（診療項目）、病院名（医療機関名）などが表示される。さらに、患者はこの内容の確認で予約内容に修正が必要な場合は前のステップに戻ることが可能な前のステップへ戻るボタン領域に接触し、修正が必要なステップまで戻り修正を行うことができる。予約内容に修正がなければ、患者は図９の次へ進むことを示すボタン領域に接触して次ステップに移る。前のステップに戻るボタン、次のステップに進むためのボタンは、患者端末５０の表示画面にあっても、患者端末５０の入力キーに割り当ててもよい。
【００４９】
次に、Ｓ１１４では、患者端末５０に表示された図１０のような患者情報入力画面に、患者が患者情報を入力後、患者情報を登録し最後のステップであるＳ１１５へすすむ。患者情報は、患者番号、保険者番号、氏名、性別、生年月日、住所などが含まれている。Ｓ１１５は、Ｓ１１４で入力した患者情報の内容が正しいか確認後処理フローは終了となる。なお、患者情報の患者番号は、それぞれの病院の初診で付与されていない場合は未入力でも登録ができるようにしてもよい。
【００５０】
一方、前述のＳ１０４において図６で診療予約の日付ではなく医療機関（病院）を選択した場合には、Ｓ１０９に進む。Ｓ１０９では、患者がＳ１０３で患者が受診したい検査や希望する医療機器を所有する医療機関の一覧が表示される。患者端末５０の表示画面の構成は、図８と同等である。
【００５１】
Ｓ１１０において、Ｓ１０９で患者端末５０の表示画面にある図８の医療機関（病院）の一覧から希望の医療機関を指定すると、次のステップのＳ１１１に進み患者端末５０の表示画面が図７に遷移する。このＳ１１１では患者がＳ１０９で選択した医療機関の所有する医療機器と医療機関の診療予約が空いている日付と時間帯が図７のように予約可能な日程画面として表示される。
【００５２】
Ｓ１１２では、Ｓ１１１における患者端末５０で表示された予約可能な日程の画面から日付と時間帯を指定するステップである。このステップによって、患者が希望する医療機関と診療の予約ができ、次のステップであるＳ１１３に進み、Ｓ１１３以降はＳ１０４で診療予約の日付を選択した場合のＳ１１３以降と同様なフローになる。
【００５３】
なお、本発明の診療予約システム１は再検診や一定年齢での特別検診で患者端末５０などに案内されるメール等にリンクされていても構わない。
【００５４】
以上のように本発明の実施の形態によれば従来の方法ではできなかった希望する特定の医療機器を備えている病院の検索と希望する病院の診療予約を一度にすることが可能となり、診療予約の利便性を向上させることができる。
【００５５】
また、診療予約システムが再検診や年齢により検診推奨の案内のメールを送信し、患者端末５０が案内メールを受信する機能を有することで、疾病の発見遅れを防ぐことができるものである。
【産業上の利用可能性】
【００５６】
本発明にかかる診療予約システムは、希望する検診を受けるために必要な医療機器を備えた病院の選択、時間選択、診療予約を一度にすることが可能となり、診療予約の利便性の向上ができるので、医師の選択だけではなく医療機器の選択が重要となる検診において特に有用である。
【符号の説明】
【００５７】
１  診療予約システム
１１  情報判断部
１２  データ検索部
１３  予約管理部
２０ａ  納入情報格納部
２０ｂ  納入情報格納部
３０  院内サーバ
３１ａ  医療機器Ａ
３１ｂ  医療機器Ｂ
３２  患者情報管理端末
４０  院内サーバ
４１ａ  医療機器Ａ
４１ｂ  医療機器Ｂ
４１ｃ  医療機器Ｃ
４２  患者情報管理端末
５０  患者端末
５１  医療機器管理サーバ
６０  ネットワーク
【図１】
2013206238.tif 000003
【図２】
2013206238.tif 000004
【図３】
2013206238.tif 000005
【図４】
2013206238.tif 000006
【図５】
2013206238.tif 000007
【図６】
2013206238.tif 000008
【図７】
2013206238.tif 000009
【図８】
2013206238.tif 000010
【図９】
2013206238.tif 000011
【図１０】
2013206238.tif 000012